(57)【要約】【課題】携帯端末機にて空気調和機の電気料金を取得することができる空気調和機を提供すること。【解決手段】空気調和機の室内機１は、消費電力を測定する消費電力測定手段６と、消費電力測定手段６で測定した消費電力を積算する消費電力積算手段８と、電気代単価から電気料金演算する演算手段７とを備え、リモコン２は電気代単価を設定する電気代単価設定手段１２を備え、携帯端末の表示要求手段によって電気料金の表示を要求した時、空気調和機は、リモコン２から受信した電気代単価から電気料金を演算し、電気料金のデータは通信装置から中継装置を介して携帯端末の表示部に表示される。【選択図】図２
2014031953.tif 000002
【特許請求の範囲】
【請求項１】
空気調和機を操作するための操作信号を送信する携帯端末と、空気調和機に接続されて操作信号を受信する通信装置と、通信装置と携帯端末との通信を中継する中継装置と、前記空気調和機および前記携帯端末と通信可能に接続されたサーバとを有し、インターネットを介して携帯端末と前記サーバとの間で通信するように構成され、さらに前記空気調和機に付属し、宅内で使用可能なリモコンを有し、前記空気調和機と前記リモコンとはデータの送信受信を可能に構成され、
前記空気調和機は、消費電力を測定する消費電力測定手段と、前記消費電力測定手段で測定した消費電力を積算する消費電力積算手段と、電気代単価から電気料金演算する演算手段とを備え、前記リモコンは電気代単価を設定する電気代単価設定手段を備え、前記携帯端末の表示要求手段によって電気料金の表示を要求した時、前記空気調和機は、前記リモコンから受信した電気代単価から電気料金を演算し、前記電気料金のデータは前記通信装置から前記中継装置を介して前記携帯端末の表示部に表示されることを特徴とする空気調和機。
【請求項２】
電気料金のデータを、前記サーバに送信し、前記サーバ内に前記電気料金データを保存した後、前記サーバから前記電気料金データを前記携帯端末に送信したことを特徴とする請求項１に記載の空気調和機。
【請求項３】
所定時間毎に、前記空気調和機で演算した電気料金をサーバへ送信し、前記サーバ内に電気料金を保存することを特徴とする請求項２に記載の空気調和機。
【請求項４】
空気調和機を操作するための操作信号を送信する携帯端末と、空気調和機に接続されて操作信号を受信する通信装置と、通信装置と携帯端末との通信を中継する中継装置と、前記空気調和機および前記携帯端末と通信可能に接続されたサーバとを有し、インターネットを介して携帯端末と前記サーバとの間で通信するように構成され、さらに前記空気調和機に付属し、宅内で使用可能なリモコンを有し、前記空気調和機と前記リモコンとはデータの送信受信を可能に構成され、
前記空気調和機は消費電力を測定する消費電力測定手段を有し、前記リモコンは電気代単価を設定する電気代単価設定手段を有し、前記サーバは前記消費電力測定手段で測定した消費電力を積算する消費電力積算手段と、電気代単価から電気料金演算する演算手段とを備え、前記携帯端末の表示要求手段によって電気料金の表示を要求した時、前記空気調和機は、前記消費電力と前記電気代単価を前記サーバへ送信し、前記演算手段で演算した電気料金を、前記携帯端末の表示部に表示することを特徴とする空気調和機。
【請求項５】
所定時間毎に、前記空気調和機で測定した消費電力と前記リモコンから受信した前記電気代単価を前記サーバへ送信し、前記サーバで演算した電気料金または受信した前記消費電力または前記電気代単価を前記サーバ内に保存することを特徴とする請求項４に記載の空気調和機。
【請求項６】
前記リモコンの替わりに前記携帯端末が前記電気代単価を設定する電気代単価設定手段を備え、前記携帯端末が電気料金の表示を要求した時に、前記携帯端末の前記表示部に表示することを特徴とする請求項１または４のいずれかに記載の空気調和機。
【発明の詳細な説明】
【技術分野】
【０００１】
本発明は、消費した電気料金をユーザーに知らせる機能を有する携帯端末に関するものである。
【背景技術】
【０００２】
近年、政府や電力会社より省エネを求められている中、従来技術の空気調和機では空気調和機設置室室内でしか電気料金情報を得ることが出来なかったが、本発明は室内のみならず屋外からでも、電気料金情報を携帯端末に表示することができ、また電気料金の前年、前月比較など省エネの見える化による省エネ率向上も可能となっている。
【先行技術文献】
【特許文献】
【０００３】
【特許文献１】特開平１１−２４８２２２号公報
【発明の概要】
【発明が解決しようとする課題】
【０００４】
従来の空気調和機では設定する電気代単価を空気調和機のリモコンより送信され、その電気代単価と消費電力量を積算し電気料金を計算して、その電気料金を空気調和機本体表示部及び空気調和機のリモコン表示部に表示させる空気調和機は従来技術として存在する。しかしながら電気料金表示可能範囲は空気調和機設置室内のみであるという課題を有している。
【０００５】
本発明は、前記従来の課題を解決するもので、空気調和機の電気料金を宅外からの要求でも表示可能にすることを目的とする。
【課題を解決するための手段】
【０００６】
前記従来の課題を解決するために、本発明の空気調和装置は、空気調和機を操作するための操作信号を送信する携帯端末と、空気調和機に接続されて操作信号を受信する通信装置と、通信装置と携帯端末との通信を中継する中継装置と、前記空気調和機および前記携帯端末と通信可能に接続されたサーバとを有し、インターネットを介して携帯端末と前記サーバとの間で通信するように構成され、さらに前記空気調和機に付属し、宅内で使用可能なリモコンを有し、前記空気調和機と前記リモコンとはデータの送信受信を可能に構成され、前記空気調和機は、消費電力を測定する消費電力測定手段と、前記消費電力測定手段で測定した消費電力を積算する消費電力積算手段と、電気代単価から電気料金演算する演算手段とを備え、前記リモコンは電気代単価を設定する電気代単価設定手段を備え、前記携帯端末の表示要求手段によって電気料金の表示を要求した時、前記空気調和機は、前記リモコンから受信した電気代単価から電気料金を演算し、前記電気料金のデータは前記通信装置から前記中継装置を介して前記携帯端末の表示部に表示されるので、宅外からでも携帯端末を使って電気料金を確認することができる。
【発明の効果】
【０００７】
本発明は、空気調和機とインターネットが通信することにより、屋外から携帯端末で電気代単価の設定及び使用電気料金表示の要求が可能。また電気料金表示の要求が無くても、一定の時間毎に取り込む設定にしておけば、電気料金データを空気調和機から携帯端末へ送信し表示することできる。これにより自動的に電気料金を取得及び表示できる、また電気料金を取得及び表示できるエリアを拡大させた空気調和機を提供することができる。
【図面の簡単な説明】
【０００８】
【図１】本発明の一実施の形態に係る空気調和機の操作システムの概略図
【図２】本発明の実施の形態１における空気調和機のブロック図
【図３】本発明の実施の形態２における空気調和機のブロック図
【発明を実施するための形態】
【０００９】
第１の発明は、空気調和機を操作するための操作信号を送信する携帯端末と、空気調和機に接続されて操作信号を受信する通信装置と、通信装置と携帯端末との通信を中継する中継装置と、前記空気調和機および前記携帯端末と通信可能に接続されたサーバとを有し、インターネットを介して携帯端末と前記サーバとの間で通信するように構成され、さらに前記空気調和機に付属し、宅内で使用可能なリモコンを有し、前記空気調和機と前記リモコンとはデータの送信受信を可能に構成され、
前記空気調和機は、消費電力を測定する消費電力測定手段と、前記消費電力測定手段で測定した消費電力を積算する消費電力積算手段と、電気代単価から電気料金演算する演算手段とを備え、前記リモコンは電気代単価を設定する電気代単価設定手段を備え、前記携帯端末の表示要求手段によって電気料金の表示を要求した時、前記空気調和機は、前記リモコンから受信した電気代単価から電気料金を演算し、前記電気料金のデータは前記通信装置から前記中継装置を介して前記携帯端末の表示部に表示されることにより、宅外からでも携帯端末を使って電気料金を確認することができる。
【００１０】
第２の発明は、第１の発明の空気調和機で、電気料金のデータを、前記サーバに送信し、前記サーバ内に前記電気料金データを保存した後、前記サーバから前記電気料金データを前記携帯端末に送信することで、電気料金を確認するときに空気調和機に通信する必要がなく、携帯端末とサーバ間で通信し確認することができる。
【００１１】
第３の発明は、第２の発明の空気調和機で、所定時間毎に、前記空気調和機で演算した電気料金をサーバへ送信し、前記サーバ内に電気料金を保存することで、携帯端末でデータ要求した時に、すでに演算された前回までのデータを携帯端末に送信できるので、すぐに確認することができる。
【００１２】
第４の発明は、空気調和機を操作するための操作信号を送信する携帯端末と、空気調和機に接続されて操作信号を受信する通信装置と、通信装置と携帯端末との通信を中継する中継装置と、前記空気調和機および前記携帯端末と通信可能に接続されたサーバとを有し、インターネットを介して携帯端末と前記サーバとの間で通信するように構成され、さらに前記空気調和機に付属し、宅内で使用可能なリモコンを有し、前記空気調和機と前記リモコンとはデータの送信受信を可能に構成され、前記空気調和機は消費電力を測定する消費電力測定手段を有し、前記リモコンは電気代単価を設定する電気代単価設定手段を有し、前記サーバは前記消費電力測定手段で測定した消費電力を積算する消費電力積算手段と、電気代単価から電気料金演算する演算手段とを備え、前記携帯端末の表示要求手段によって電気料金の表示を要求した時、前記空気調和機は、前記消費電力と前記電気代単価を前記サーバへ送信し、前記演算手段で演算した電気料金を、前記携帯端末の表示部に表示することができる。
【００１３】
第５の発明は、第４の発明に、所定時間毎に、前記空気調和機で測定した消費電力と前記リモコンから受信した前記電気代単価を前記サーバへ送信し、前記サーバで演算した電気料金または受信した前記消費電力または前記電気代単価を前記サーバ内に保存するので、携帯端末で通信した時に、前回までの電気料金に関するデータをすぐに確認することができる。
【００１４】
第６の発明は、第１または第４の発明に、前記リモコンの替わりに前記携帯端末が前記
電気代単価を設定する電気代単価設定手段を備え、前記携帯端末が電気料金の表示を要求した時に、前記携帯端末の前記表示部に表示することができる。
【００１５】
以下、本発明の実施の形態について、図面を参照しながら説明する。なお、この実施の形態によって本発明が限定されるものではない。
【００１６】
（実施の形態１）
図１は本発明の一実施の形態に係る、家電機器の操作システムの構成を概略的に示している。なお、以下に説明する家電機器の操作システムは、家電機器の一例である空気調和機の操作システムであるが、本発明は、家電機器を空気調和機に限定しない。
【００１７】
図１に示す本実施の形態の空気調和機の操作システム５０は、携帯端末によって少なくとも１つの空気調和機を操作するためのシステムである。図１に示すように、空気調和機の操作システム５０は、複数の空気調和機１、２１と、空気調和機１、２１それぞれに設けられた無線アダプタ（通信装置）５１と、ユーザーが所有する携帯端末２３と、無線アダプタ５１と携帯端末２３との通信を中継するゲートウェイ装置（中継装置）５２と、インターネット１００と、インターネット１００に接続されたサーバー装置３１とを有する。
【００１８】
空気調和機１、２１は、例えば、携帯端末２３のユーザーの住居５３内に設置されている。この複数の空気調和機１、２１それぞれに無線アダプタ５１が１つずつ接続されている。
【００１９】
無線アダプタ５１は、空気調和機１、２１の制御部（図示せず）に接続されている。また、無線アダプタ５１は、ゲートウェイ装置５２と通信するように構成されている。無線アダプタ５１は、詳細は後述するが、携帯端末２３からゲートウェイ装置５２を介して送信された空気調和機を操作するための操作信号を受信し、受信した操作信号を空気調和機１、２１の制御部に出力する。この操作信号に基づいて、空気調和機１、２１は、対応する動作するように構成されている。
【００２０】
無線アダプタ５１はまた、詳細は後述するが、空気調和機１、２１の識別情報（例えば、製造番号や型番等）を空気調和機１、２１の制御部から取得し、ゲートウェイ装置５２に送信するように構成されている。
【００２１】
なお、無線アダプタ５１は、空気調和機１、２１に一体に設けられてもよいし、複数の空気調和機１、２１のいずれにも接続できるように、空気調和機１、２１に対して着脱可能に構成してもよい。
【００２２】
携帯端末２３は、例えば、スマートフォン、タブレットＰＣ（パーソナルコンピュータ）などの汎用の携帯型の端末であって、本発明の場合、インターネット２０に接続する機能（手段）と、後述するゲートウェイ装置５２と通信する機能（手段）とを備える。
【００２３】
携帯端末２３（例えばスマートフォン）は、電話回線網（例えば３Ｇ回線網）を介して、インターネット１００に接続するように構成されている。それに加えてまたは代わりとして、例えば、携帯端末２３は、Ｗｉ−Ｆｉ通信機能によって公衆無線ＬＡＮを介してインターネット１００に接続するように構成されている。
【００２４】
インターネット１００に接続することにより、例えば、携帯端末２３は、空気調和機１、２１を操作するためのプログラムを、インターネット１００を介して空気調和機１、２１のメーカーのホームページから取得することができる。この取得したプログラムを携帯
端末２３にインストールし、インストールしたプログラムを起動させることにより、携帯端末２３は、空気調和機１、２１を操作することが可能になる。すなわち、携帯端末２３は、空気調和機１、２１を操作するための操作信号を生成し、送信することが可能になる。
【００２５】
携帯端末２３はまた、例えば、Ｗｉ−Ｆｉ通信、Ｂｌｕｅｔｏｏｔｈ（登録商標）通信、赤外線通信などのインターネット１００を介さない汎用の通信によってルーター装置５４と接続し、そのルーター装置５４を介してゲートウェイ装置５２に通信接続するように構成されている。そのためのデバイス（例えばＷｉ−Ｆｉアンテナ等）が携帯端末２３に組み込まれている。
【００２６】
ゲートウェイ装置５２は、無線アダプタ５１と携帯端末２３との通信を中継する装置であって、無線アダプタ５１と通信可能に、且つ、ルーター装置５４を介して携帯端末２３と通信可能に構成されている。また、ゲートウェイ装置５２は、空気調和機１、２１が設置されたユーザーの住居５３内に設置され、インターネット１００に接続されたルーター装置５４に接続されている。
【００２７】
例えば、ゲートウェイ装置５２は、無線アダプタ５１と、特定小電力無線特別小型周波数帯（９２４．０〜９２８．０ＭＨｚ）の信号を用いて通信するように構成されている。なお、ゲートウェイ装置５２と無線アダプタ５１との通信の周波数帯は、遠距離まで届く低周波数帯が好ましい。
【００２８】
ゲートウェイ装置５２はまた、携帯端末２３とルーター装置５４を介して通信接続するように構成されている。すなわち、携帯端末２３とインターネット１００を介さずにルーター装置５４のみを介して通信（第１の通信）が実行できるように、ゲートウェイ装置５２は構成されている。
【００２９】
ゲートウェイ装置５２はさらに、ルーター装置５４を介してインターネット１００に接続可能に構成されている。これにより、ゲートウェイ装置５２は、インターネット１００およびルーター装置５４を介して、携帯端末２３と通信（第２の通信）することができるとともにサーバー装置３１にも通信することができる。
【００３０】
したがって、ゲートウェイ装置５２は、携帯端末２３に対して、インターネット１００を介さない通信（すなわちルーター装置５４のみを介する第１の通信）と、インターネット１００を介する通信（すなわちインターネット１００およびルーター装置５４を介する第２の通信）とが実行できるように構成されている。このように構成する理由については後述する。
【００３１】
サーバー装置３１は、空気調和機１、２１のメーカーが用意したサーバー装置であって、詳細は後述するが、ゲートウェイ装置５２にアクセスした携帯端末２３の認証などを実行するとともに、空気調和機１、２１、無線アダプタ５１、携帯端末２３、およびゲートウェイ装置５２に関する情報を保持するためのものである。
【００３２】
ここからは、携帯端末２３による空気調和機１、２１の操作について例を挙げて説明する。なお、ここで例として挙げる携帯端末２３は、タッチパネル２３ａを備えたスマートフォンであって、既に空気調和機１、２１の操作プログラムがインストールされて起動された状態である。また、携帯端末２３とルーター装置５４とがＷｉ−Ｆｉ通信する場合を例に挙げる。
【００３３】
図２は、本発明の実施の形態１における空気調和機の室内機１およびリモコン装置２を
示すブロック図である。なお、本実施の形態における空気調和機は、室内に設置される室内機１と、室外に設置される室外機（図示せず）とを冷媒配管によって接続して構成される。
【００３４】
まず、室内機１は、リモコン装置２からのデータを受信、またリモコン装置２へのデータを送信する室内側送受信部３と、日時データを保存し計時する本体計時部５と、空気調和機の消費電力を計測する電力計測部６と、室内機１を制御する制御部４と、電気代単価及び電気料金や設定等を記憶する記憶部８と、消費電力と電気代単価から電気料金を演算する電気料金演算部７を備える。
【００３５】
次に、リモコン装置２は、室内機１へデータを送信、また室内機１からのデータを受信するリモコン側送受信部９と、各種運転情報を表示する表示手段である表示部１０と、電気代単価を設定する電気代単価設定部１２と、表示部１０へ電気料金の表示を指示するための電気料金表示指示手段である電気料金表示指示部１３と、設定や運転指示を行う操作部１１を備える。
【００３６】
なお、室内機１およびリモコン装置２の構成は、図２に記載の構成部のみに限定されるものではない。また、電気料金単価設定部１２や電気料金表示指示部１３は操作部１１の一部である。
【００３７】
まず、ユーザーは、リモコン装置２へ電池を入れた後、初期設定を行う。このとき、ユーザーが設定する情報は、日付情報（年・月・日）、時刻情報である。そして、ユーザーがリモコン装置２の日時情報を設定した後に、日付情報および時刻情報を有する日時情報を室内機１へ送信する。一方、室内機１では日時情報を室内側送受信部３で受信し、本体計時部５に記憶する。これによって、リモコン装置２と室内機１との時刻情報の設定が完了する。
【００３８】
次に、電気代単価の設定について説明する。ユーザーはリモコン装置２の操作部１１及び電気代単価設定部１２を操作することによって、電気代単価設定を行うことができる。
【００３９】
次に、電気料金表示について説明する。ユーザーはリモコン装置２の操作部１１及び電気料金表示指示部１３を操作することによって、電気料金を表示部１０に表示することが出来る。これは運転中であれば現在の運転に掛かる電気料金を意味し、運転停止中であれば前回の運転に掛かる電気料金を意味する。
【００４０】
以上のように、本実施の形態１は、リモコン装置２が使用電気料金表示を要求しリモコン装置２に提示可能に構成されているとともに、簡単な操作方法で使用電気料金を表示することができるため、非常に使用性の高い空気調和機を実現することができる。
【００４１】
（実施の形態２）
図３は、本発明の実施の形態２における空気調和機の室内機２１およびリモコン装置２２、携帯端末機２３、サーバ３１を示すブロック図である。なお、本実施の形態における空気調和機は、室内に設置される室内機２１と、室外に設置される室外機（図示せず）とを冷媒配管によって接続して構成される。
【００４２】
まず、室内機２１は、リモコン装置２２からのデータを受信、またリモコン装置２２へのデータを送信する室内側送受信部２４と、日時データを保存し計時する本体計時部２６と、空気調和機の消費電力を計測する電力計測部２７と、室内機２１を制御する制御部２５と、電気代単価及び電気料金や設定等を記憶する記憶部２９と、消費電力と電気代単価から電気料金を演算する電気料金演算部２８を備え、またサーバ３１と無線通信できる室
内機側無線通信部を接続できる。
【００４３】
次に、リモコン装置２２は、室内機２１へデータを送信、また室内機２１からのデータを受信するリモコン側送受信部３２と、各種運転情報を表示する表示手段である表示部３３と、設定や運転指示を行う操作部３４を備える。
【００４４】
次に、携帯端末機２３はサーバ３１と無線通信できる携帯端末側無線通信部３５と、各種情報を表示する表示手段である表示部３６と、携帯端末機を制御する制御部３７と、電気代単価を設定する電気代単価設定部３９と、表示部３６へ電気料金の表示を指示するための電気料金表示指示手段である電気料金表示指示部４０と、各操作を行う操作部３８を備える。
【００４５】
なお、室内機２１およびリモコン装置２２、携帯端末機２３の構成は、図２に記載の構成部のみに限定されるものではない。また、電気料金単価設定部３９や電気料金表示指示部４０は操作部３８の一部である。
【００４６】
まず、ユーザーは、リモコン装置２２へ電池を入れた後、初期設定を行う。このとき、ユーザーが設定する情報は、日付情報（年・月・日）、時刻情報である。そして、ユーザーがリモコン装置２２の日時情報を設定した後に、日付情報および時刻情報を有する日時情報を室内機２１へ送信する。一方、室内機２１では日時情報を室内側送受信部２３で受信し、本体計時部２６に記憶する。これによって、リモコン装置２２と室内機２１との時刻情報の設定が完了する。
【００４７】
次に、電気代単価の設定について説明する。ユーザーは携帯端末機２３の操作部３８及び電気代単価設定部３９を操作することによって、電気代単価設定を行うことができる。
【００４８】
次に、電気料金表示について説明する。ユーザーは携帯端末機２３の操作部３８及び電気料金表示指示部４０を操作することによって、電気料金が表示部３６に表示することが出来る。これは運転中であれば現在の運転に掛かる電気料金を意味し、運転停止中であれば前回の運転に掛かる電気料金を意味する。
【００４９】
以上のように、本実施の形態２は、携帯端末機２３が使用電気料金表示を要求し携帯端末機２３に提示可能に構成されているとともに、簡単な操作方法で使用電気料金を表示することができるため、非常に使用性の高い空気調和機を実現することができる。
【産業上の利用可能性】
【００５０】
以上のように本発明は、空気調和機を操作するリモコン装置及び携帯端末機に適用することができる。
【符号の説明】
【００５１】
１、２１  室内機
２、２２  リモコン装置
３  室内側送受信部
４  制御部
５  本体計時分
６  電力計測部
７  電気料金演算部
８  記憶部
９  リモコン側送受信部
１０  表示部
１１  操作部
１２  電気代単価設定部
１３  電気料金表示指示部
２３  携帯端末機
２４  室内機側送受信部
２５  制御部
２６  本体計時分
２７  電力測定部
２８  電気料金演算部
２９  記憶部
３０  室内機側無線通信部
３１  サーバ
３２  リモコン側送受信部
３３  表示部
３４  操作部
３５  携帯端末側無線通信部
３６  表示部
３７  制御部
３８  操作部
３９  電気代単価設定部
４０  電気料金表示指示部
【図２】
2014031953.tif 000003
【図３】
2014031953.tif 000004
【図１】
2014031953.tif 000005